【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  セキュア・メッセージング・システムであって：
セキュア金融取引メッセージを生成する第１セキュア・メッセージ発生器；
前記セキュア金融取引メッセージを受信するワイヤレス選択呼出信号システム・コントローラであって、該システム・コントローラは：
選択呼出メッセージ・プロセッサであって、該選択呼出メッセージ・プロセッサは、制御プログラムを実行するために関連電子メモリを有するプロセッサを含み、前記制御プログラムに従って、
宛先識別子および前記セキュア金融取引メッセージからなる選択呼出メッセージ要求を受信し；および
前記宛先識別子に対応する選択呼出アドレスを含む選択呼出メッセージに、前記セキュア金融取引メッセージを封入するところの選択呼出メッセージ・プロセッサと；
前記選択呼出メッセージ・プロセッサに結合された選択呼出メッセージ配信装置であって、前記宛先識別子に応じて、前記選択呼出メッセージを選択呼出送信サービスに配信すべく動作する選択呼出メッセージ配信装置と；
によって構成されるワイヤレス選択呼出信号システム・コントローラ；および
金融メッセージング・ユニットであって、該金融メッセージング・ユニットは：
前記選択呼出メッセージを受信する受信機と；
前記金融メッセージング・ユニットに対応する少なくとも１つの選択呼出アドレスを記憶するコントローラと；
前記受信機および前記コントローラに結合され、前記選択呼出メッセージにおける前記選択呼出アドレスが前記コントローラに記憶された選択呼出アドレスと相関するか否かを判定するアドレス相関器と；
前記選択呼出メッセージからセキュア金融取引メッセージを復元して、前記選択呼出メッセージにおける前記選択呼出アドレスが前記コントローラに記憶された選択呼出アドレスと相関する場合に金融取引を可能にするデータ・デコーダと；
前記選択呼出メッセージの受信を認証するために肯定応答を送信する送信機と；
を含む金融メッセージング・ユニット；
を具備することを特徴とするセキュア・メッセージング・システム。
【請求項２】  前記ワイヤレス選択呼出信号システム・コントローラおよび前記第１セキュア・メッセージ発生器に結合された第１セキュア・メッセージ・デコーダであって、ローカルおよびリモート金融取引システムのうち一方から受信した金融取引要求を復号すべく動作する前記第１セキュア・メッセージ・デコーダ；
を含んで構成されることを特徴とする請求項１記載のセキュア・メッセージング・システム。
【請求項３】  前記第１セキュア・メッセージ発生器および前記第１セキュア・メッセージ・デコーダに結合された第１金融取引プロセッサであって、金融取引要求が正当な当事者からの発信として認証され、かつ該金融取引が当局によって許可される場合に、金融取引要求に基づく金融取引の締結を可能にする第１金融取引プロセッサ；
を含んで構成されることを特徴とする請求項２記載のセキュア・メッセージング・システム。
【請求項４】  前記第１セキュア・メッセージ発生器および前記第１セキュア・メッセージ・デコーダに結合された第１金融取引プロセッサであって：
金融取引要求が正当な当事者からの発信として認証されない場合；および
金融取引が当局によって許可されない場合；
のうち少なくとも一方の場合に、金融取引要求に基づく金融取引の締結を否決する第１金融取引プロセッサ；
を含んで構成されることを特徴とする請求項２記載のセキュア・メッセージング・システム。
【請求項５】  前記金融取引は、所定の資金振込み限度を超過する場合に、当局によって許可されないことを特徴とする請求項４記載のセキュア・メッセージング・システム。
【請求項６】  前記金融取引は、所定のクレジット限度を超過する場合に、当局によって許可されないことを特徴とする請求項４記載のセキュア・メッセージング・システム。
【請求項７】  前記金融メッセージング・ユニットに結合された第２セキュア・メッセージ発生器であって、金融取引要求を生成すべく動作する第２セキュア・メッセージ発生器；
前記第２セキュア・メッセージ発生器に結合された携帯送信機であって、前記金融取引要求を前記選択呼出メッセージ・プロセッサに同報すべく動作する携帯送信機；および
前記選択呼出メッセージ・プロセッサに結合された受信機であって、前記金融取引要求を受信し、前記選択呼出メッセージ・プロセッサに結合すべく動作する受信機；
を含んで構成されることを特徴とする請求項２記載のセキュア・メッセージング・システム。
【請求項８】  前記第１セキュア・メッセージ発生器および前記第１セキュア・メッセージ・デコーダに結合された第１金融取引プロセッサであって、金融取引要求が前記金融メッセージング・ユニットからの発信として認証され、かつ該金融取引が当局によって許可される場合に、金融取引要求に基づく金融取引の締結を可能にする第１金融取引プロセッサ；
を含んで構成されることを特徴とする請求項７記載のセキュア・メッセージング・システム。
【請求項９】  前記第１金融取引プロセッサは、前記金融メッセージング・ユニットの不適切な利用が検出された場合に、第２金融取引プロセッサ・ディセーブル・メッセージを生成して、前記金融メッセージング・ユニットに返信し、前記第２金融取引プロセッサ・ディセーブル・メッセージは、第２金融取引プロセッサをディセーブルして、前記金融メッセージング・ユニットによる更なる金融取引を阻止すべく動作することを特徴とする請求項８記載のセキュア・メッセージング・システム。
【請求項１０】  前記金融メッセージング・ユニットおよび第２セキュア・メッセージ発生器に結合された第２セキュア・メッセージ・デコーダであって、前記ワイヤレス選択呼出信号システム・コントローラから受信したセキュア金融取引メッセージを復号すべく動作する第２セキュア・メッセージ・デコーダ；
を含んで構成されることを特徴とする請求項８記載のセキュア・メッセージング・システム。
【請求項１１】  前記第２セキュア・メッセージ発生器および前記第２セキュア・メッセージ・デコーダに結合された第２金融取引プロセッサであって、セキュア金融取引メッセージが前記第１金融取引プロセッサからの発信として認証され、かつ該金融取引が当局によって許可される場合に、セキュア金融取引メッセージに基づく金融取引の締結を可能にする第２金融取引プロセッサ；
を含んで構成されることを特徴とする請求項１０記載のセキュア・メッセージング・システム。
【請求項１２】  前記第２セキュア・メッセージ発生器および前記第２セキュア・メッセージ・デコーダに結合された第２金融取引プロセッサであって：
前記セキュア金融取引メッセージが前記第１金融取引プロセッサからの発信として認証されない場合；および
前記金融取引が当局によって許可されない場合；
のうち少なくとも一方の場合に、前記セキュア金融取引メッセージに基づく金融取引の締結を否決する第２金融取引プロセッサ；
を含んで構成されることを特徴とする請求項１０記載のセキュア・メッセージング・システム。
【請求項１３】  前記第１セキュア・メッセージ発生器および前記第１セキュア・メッセージ・デコーダに結合された第１金融取引プロセッサであって：
前記金融取引要求が前記金融メッセージング・ユニットからの発信として認証されない場合；および
前記金融取引が当局によって許可されない場合；
のうち少なくとも一方の場合に、前記金融取引要求に基づく金融取引の締結を否決する第１金融取引プロセッサ；
を含んで構成されることを特徴とする請求項７記載のセキュア・メッセージング・システム。
【請求項１４】  前記金融取引は、所定の資金振込み限度を超過する場合に、当局によって許可されないことを特徴とする請求項１３記載のセキュア・メッセージング・システム。
【請求項１５】  前記金融取引は、所定のクレジット限度を超過する場合に、当局によって許可されないことを特徴とする請求項１３記載のセキュア・メッセージング・システム。
【請求項１６】  前記第１セキュア・メッセージ発生器および第２セキュア・メッセージ発生器は、金融取引セッション鍵を伝達するために用いられる前記セキュア金融取引メッセージの少なくとも一部を暗号化するために、公開鍵暗号方法を利用することを特徴とする請求項２記載のセキュア・メッセージング・システム。
【請求項１７】  前記金融メッセージング・ユニットは：
公開鍵暗号方法を利用して、前記セキュア金融取引メッセージの少なくとも一部を解読して、前記金融取引セッション鍵を復元する第２セキュア・メッセージ・デコーダ；
を含んで構成されることを特徴とする請求項１６記載のセキュア・メッセージング・システム。
【請求項１８】  前記第２セキュア・メッセージ・デコーダは、前記金融取引セッション鍵を利用して、前記セキュア金融取引メッセージの残りの部分をさらに解読することを特徴とする請求項１７記載のセキュア・メッセージング・システム。
【請求項１９】  前記宛先識別子は、前記金融メッセージング・ユニットにおいてイネーブルされた独自のクレジット・カード・タイプに対応することを特徴とする請求項１記載のセキュア・メッセージング・システム。
【請求項２０】  前記宛先識別子は、前記金融メッセージング・ユニットにおいてイネーブルされた独自のデビット・カード・タイプに対応することを特徴とする請求項１記載のセキュア・メッセージング・システム。
【請求項２１】  前記宛先識別子は、前記金融メッセージング・ユニットにおいてイネーブルされた独自のバリュー・カード・タイプに対応することを特徴とする請求項１記載のセキュア・メッセージング・システム。
【請求項２２】  前記選択呼出メッセージは、ＰＯＣＳＡＧフォーマット・メッセージであることを特徴とする請求項１記載のセキュア・メッセージング・システム。
【請求項２３】  前記選択呼出メッセージは、モトローラＦＬＥＸ（商標）フォーマット・メッセージであることを特徴とする請求項１記載のセキュア・メッセージング・システム。
【請求項２４】  前記セキュア金融取引メッセージは、前記選択呼出メッセージ内でさらに暗号化されることを特徴とする請求項１記載のセキュア・メッセージング・システム。
【請求項２５】  前記セキュア金融取引メッセージは、公開鍵暗号を利用してさらに暗号化されることを特徴とする請求項２４記載のセキュア・メッセージング・システム。
【請求項２６】  前記セキュア金融取引メッセージは、少なくとも部分的に公開鍵暗号によってさらに暗号化されることを特徴とする請求項２４記載のセキュア・メッセージング・システム。
【請求項２７】  前記公開鍵暗号は、楕円曲線暗号を利用して実施されることを特徴とする請求項２６記載のセキュア・メッセージング・システム。
【請求項２８】  前記セキュア金融取引メッセージは、対称秘密鍵暗号を利用してさらに暗号化されることを特徴とする請求項２４記載のセキュア・メッセージング・システム。
【請求項２９】  前記金融メッセージング・ユニットは、スマート・カードへの以降の転送のために金額を表すトークンを格納し、前記トークンは、前記セキュア金融取引メッセージの内容から復元されることを特徴とする請求項２８記載のセキュア・メッセージング・システム。
【請求項３０】  前記セキュア金融取引メッセージは、非対称秘密鍵暗号を利用してさらに暗号化されることを特徴とする請求項２４記載のセキュア・メッセージング・システム。
【請求項３１】  前記金融メッセージング・ユニットは、金額を表すトークンをスマート・カードに直接転送し、前記トークンは、前記セキュア金融取引メッセージの内容から復元されることを特徴とする請求項３０記載のセキュア・メッセージング・システム。
【請求項３２】  前記金融メッセージング・ユニットは、金額を表すトークンを直接格納し、前記トークンは、前記セキュア金融取引メッセージの内容から復元されることを特徴とする請求項３０記載のセキュア・メッセージング・システム。
【請求項３３】  前記金融メッセージング・ユニットは、前記金融メッセージング・ユニットがワイヤレス・スマート・カードとして動作することを可能にする携帯金融取引プロセッサを含むことを特徴とする請求項３２記載のセキュア・メッセージング・システム。
【請求項３４】  前記金融メッセージング・ユニットは、前記セキュア金融取引メッセージの内容を受信し、解読することを特徴とする請求項１記載のセキュア・メッセージング・システム。